(57)【要約】【課題】有蹄動物である牛の蹄部を効率よく消毒できる消毒装置を提供する。【解決手段】消毒装置１は、牛２の後方位置からその牛２の左前脚の蹄部３に向けて消毒液を噴射する左前脚用後方ノズル21と、牛２の後方位置からその牛２の右前脚の蹄部３に向けて消毒液を噴射する右前脚用後方ノズル22とを備える。また、消毒装置１は、牛２の後方位置からその牛２の左後脚の蹄部３に向けて消毒液を噴射する左後脚用後方ノズル23と、牛２の後方位置からその牛２の右後脚の蹄部３に向けて消毒液を噴射する右後脚用後方ノズル24とを備える。これら４つの後方ノズル21，22，23，24は、左右方向に延びる１本の配管26に取り付ける。【選択図】図１
2020127396.tif 000002
【特許請求の範囲】
【請求項１】
消毒液を用いて有蹄動物の蹄部を消毒する消毒装置であって、
有蹄動物の後方位置から、その有蹄動物の左前脚の蹄部に向けて消毒液を噴射する左前脚用後方ノズルと、
有蹄動物の後方位置から、その有蹄動物の右前脚の蹄部に向けて消毒液を噴射する右前脚用後方ノズルと、
有蹄動物の後方位置から、その有蹄動物の左後脚の蹄部に向けて消毒液を噴射する左後脚用後方ノズルと、
有蹄動物の後方位置から、その有蹄動物の右後脚の蹄部に向けて消毒液を噴射する右後脚用後方ノズルと
を備えることを特徴とする消毒装置。
【請求項２】
有蹄動物が載る載置部の後方近傍に位置する配管を備え、
左前脚用後方ノズル、右前脚用後方ノズル、左後脚用後方ノズル及び右後脚用後方ノズルは、前記配管に取り付けられている
ことを特徴とする請求項１記載の消毒装置。
【請求項３】
配管は、左右方向に長手方向を有し、
左後脚用後方ノズル及び右後脚用後方ノズルは、前記配管のうち有蹄動物の左右の後脚に対応する対応位置に取り付けられ、
左前脚用後方ノズル及び右前脚用後方ノズルは、前記配管のうち前記対応位置から外側方にずれた位置に取り付けられている
ことを特徴とする請求項２記載の消毒装置。
【請求項４】
有蹄動物の側方位置から、その有蹄動物の左前脚の蹄部に向けて消毒液を噴射する左前脚用側方ノズルと、
有蹄動物の側方位置から、その有蹄動物の右前脚の蹄部に向けて消毒液を噴射する右前脚用側方ノズルと
を備えることを特徴とする請求項１ないし３のいずれか一記載の消毒装置。
【請求項５】
有蹄動物の下方位置から、その有蹄動物の左前脚の蹄部に向けて消毒液を噴射する左前脚用下方ノズルと、
有蹄動物の下方位置から、その有蹄動物の右前脚の蹄部に向けて消毒液を噴射する右前脚用下方ノズルと
を備えることを特徴とする請求項１ないし４のいずれか一記載の消毒装置。
【請求項６】
有蹄動物の側方位置から、その有蹄動物の左後脚の蹄部に向けて消毒液を噴射する左後脚用側方ノズルと、
有蹄動物の側方位置から、その有蹄動物の右後脚の蹄部に向けて消毒液を噴射する右後脚用側方ノズルと
を備えることを特徴とする請求項１ないし５のいずれか一記載の消毒装置。
【請求項７】
有蹄動物の下方位置から、その有蹄動物の左後脚の蹄部に向けて消毒液を噴射する左後脚用下方ノズルと、
有蹄動物の下方位置から、その有蹄動物の右後脚の蹄部に向けて消毒液を噴射する右後脚用下方ノズルと
を備えることを特徴とする請求項１ないし６のいずれか一記載の消毒装置。
【発明の詳細な説明】
【技術分野】
【０００１】
本発明は、消毒液を用いて有蹄動物の蹄部を消毒する消毒装置に関するものである。
【背景技術】
【０００２】
従来、例えば脚先に蹄部を有する牛、馬、豚等の有蹄動物の洗浄施設として、下記の特許文献１に記載されたものが知られている。
【０００３】
この従来の洗浄施設は、塩化物の希薄塩水溶液を被電解水とする電解生成アルカリ性水を貯えて有蹄動物の下肢の前洗浄に使用される第１洗浄槽と、この第１洗浄槽の前方にて一段高い位置に配置され、前記塩化物の希薄塩水溶液を被電解水とする電解生成酸性水を貯えて前記有蹄動物の下肢の後洗浄に使用される第２洗浄槽とを備えている。
【０００４】
そして、有蹄動物を前記第１洗浄槽内に導いてその下肢を前記電解生成アルカリ性水により洗浄し、その後、有蹄動物を前記第２洗浄槽に導いてその下肢を前記電解生成酸性水により洗浄する。
【先行技術文献】
【特許文献】
【０００５】
【特許文献１】特許第３５１９０２４号公報
【発明の概要】
【発明が解決しようとする課題】
【０００６】
しかしながら、上記従来のものでは、有蹄動物を２つの第１洗浄槽及び第２洗浄槽に順に導く必要があるため、有蹄動物の蹄部の消毒に手間がかかり、効率的ではない。
【０００７】
本発明は、このような点に鑑みなされたもので、有蹄動物の蹄部を効率よく消毒できる消毒装置を提供することを目的とする。
【課題を解決するための手段】
【０００８】
請求項１記載の消毒装置は、消毒液を用いて有蹄動物の蹄部を消毒する消毒装置であって、有蹄動物の後方位置から、その有蹄動物の左前脚の蹄部に向けて消毒液を噴射する左前脚用後方ノズルと、有蹄動物の後方位置から、その有蹄動物の右前脚の蹄部に向けて消毒液を噴射する右前脚用後方ノズルと、有蹄動物の後方位置から、その有蹄動物の左後脚の蹄部に向けて消毒液を噴射する左後脚用後方ノズルと、有蹄動物の後方位置から、その有蹄動物の右後脚の蹄部に向けて消毒液を噴射する右後脚用後方ノズルとを備えるものである。
【０００９】
請求項２記載の消毒装置は、請求項１記載の消毒装置において、有蹄動物が載る載置部の後方近傍に位置する配管を備え、左前脚用後方ノズル、右前脚用後方ノズル、左後脚用後方ノズル及び右後脚用後方ノズルは、前記配管に取り付けられているものである。
【００１０】
請求項３記載の消毒装置は、請求項２記載の消毒装置において、配管は、左右方向に長手方向を有し、左後脚用後方ノズル及び右後脚用後方ノズルは、前記配管のうち有蹄動物の左右の後脚に対応する対応位置に取り付けられ、左前脚用後方ノズル及び右前脚用後方ノズルは、前記配管のうち前記対応位置から外側方にずれた位置に取り付けられているものである。
【００１１】
請求項４記載の消毒装置は、請求項１ないし３のいずれか一記載の消毒装置において、有蹄動物の側方位置から、その有蹄動物の左前脚の蹄部に向けて消毒液を噴射する左前脚用側方ノズルと、有蹄動物の側方位置から、その有蹄動物の右前脚の蹄部に向けて消毒液を噴射する右前脚用側方ノズルとを備えるものである。
【００１２】
請求項５記載の消毒装置は、請求項１ないし４のいずれか一記載の消毒装置において、有蹄動物の下方位置から、その有蹄動物の左前脚の蹄部に向けて消毒液を噴射する左前脚用下方ノズルと、有蹄動物の下方位置から、その有蹄動物の右前脚の蹄部に向けて消毒液を噴射する右前脚用下方ノズルとを備えるものである。
【００１３】
請求項６記載の消毒装置は、請求項１ないし５のいずれか一記載の消毒装置において、有蹄動物の側方位置から、その有蹄動物の左後脚の蹄部に向けて消毒液を噴射する左後脚用側方ノズルと、有蹄動物の側方位置から、その有蹄動物の右後脚の蹄部に向けて消毒液を噴射する右後脚用側方ノズルとを備えるものである。
【００１４】
請求項７記載の消毒装置は、請求項１ないし６のいずれか一記載の消毒装置において、有蹄動物の下方位置から、その有蹄動物の左後脚の蹄部に向けて消毒液を噴射する左後脚用下方ノズルと、有蹄動物の下方位置から、その有蹄動物の右後脚の蹄部に向けて消毒液を噴射する右後脚用下方ノズルとを備えるものである。
【発明の効果】
【００１５】
本発明によれば、有蹄動物の蹄部を効率よく消毒することができる。
【図面の簡単な説明】
【００１６】
【図１】本発明の第１の実施の形態に係る消毒装置の平面図である。
【図２】同上消毒装置の断面図である。
【図３】本発明の第２の実施の形態に係る消毒装置の平面図である。
【図４】同上消毒装置の断面図である。
【図５】本発明の第３の実施の形態に係る消毒装置の平面図である。
【図６】同上消毒装置の断面図である。
【図７】本発明の第４の実施の形態に係る消毒装置の平面図である。
【図８】同上消毒装置の断面図である。
【図９】本発明の第５の実施の形態に係る消毒装置の平面図である。
【図１０】同上消毒装置の断面図である。
【図１１】本発明の第６の実施の形態に係る消毒装置の平面図である。
【発明を実施するための形態】
【００１７】
本発明の第１の実施の形態について図１及び図２を参照して説明する。
【００１８】
図中の１は有蹄動物用の消毒装置で、この消毒装置１は、蹄病予防のために、消毒液を用いて有蹄動物である牛２の蹄部３を消毒するものである。
【００１９】
消毒液は、人や動物に無害の消毒液であって環境を汚染しない「食品衛生法の飲用適の水」に合致した水、すなわち例えば、次亜塩素酸（ＨＣｌＯ）を含む水である次亜塩素酸水である。なお、消毒液としては、次亜塩素酸水を用いることが好ましいが、これには限定されず、一般の消毒液を使用することも可能である。
【００２０】
牛（有蹄類）２は、前後左右の４本の脚５を備え、これら４本の各脚５は、主蹄3a及び副蹄3bからなる蹄部３を脚先に有している。蹄部３は、地面等の接地面に接地する主蹄3aと、この主蹄3aよりも少し上方に位置する副蹄3bとによって構成されている。なお、副蹄3bは、脚５の下端部（脚先）の後側に設けられている
消毒装置１は、図１及び図２に示すように、前方（進行方向）への移動により誘導されてきた牛２がその上面10上に載る前後方向長手状で平面視矩形状の板状をなす水平状の載置部11を備えている。
【００２１】
載置部11は、消毒液や汚物（糞等）が一時的に貯留される貯留部12の上面開口13を覆うように水平状に設けられている。なお、貯留部12には、消毒液等を外部へ排出するための排出管14が接続されている。
【００２２】
載置部11は、前後方向に細長い矩形板状をなす例えばゴム製の載置部材であるマット16と、このマット16の下面を支持するメッシュ状の支持部材であるメッシュ板17とを有している。また、マット（例えばゴムマット）16のうち後側の部分には、消毒液及び汚物を貯留部12に落下させるための矩形状の開口部18が形成されており、この開口部18によってメッシュ板17の一部が露出している。
【００２３】
なお、載置部11は、所定時（例えば搾乳時、採食時、或いは給水時等）において、牛２が一時的に収納される収納領域20の下面に位置しており、その収納領域20は１頭の牛に対応した大きさの領域である。
【００２４】
また、消毒装置１は、載置部11に載った牛２の後方位置からその牛２の左前脚５の蹄部３に向けて消毒液を噴射する左前脚用後方ノズル21と、載置部11に載った牛２の後方位置からその牛２の右前脚５の蹄部３に向けて消毒液を噴射する右前脚用後方ノズル22と、載置部11に載った牛２の後方位置からその牛２の左後脚５の蹄部３に向けて消毒液を噴射する左後脚用後方ノズル23と、載置部11に載った牛２の後方位置からその牛２の右後脚５の蹄部３に向けて消毒液を噴射する右後脚用後方ノズル24とを備えている。
【００２５】
つまり、消毒装置１は、収納領域20に進入して載置部11の上面10上に載って所定位置で停止した牛２の後方位置（言い換えると牛２の後脚５よりも後方の位置）から、その牛２の前後左右の４本の脚５の蹄部３に向けて消毒液を同時に噴射する４つの後方ノズル21，22，23，24を備えている。そして、これら４つの後方ノズル21，22，23，24は、載置部11の後端近傍の位置において当該載置部11の幅方向である左右方向に間隔をおいて並んでいる。
【００２６】
具体的には、消毒装置１は、載置部11の後端部の後方近傍（載置部11の後端近傍）に位置する左右方向長手状の１本の配管（消毒液が流れる流路の一部を構成する配管）26を備え、この配管26は、載置部11の上面10と同一面上に位置する床面30上に左右方向に沿って配置されている。
【００２７】
そして、左後脚用後方ノズル23及び右後脚用後方ノズル24は、配管26のうち牛２の左右の後脚５に対応する対応位置（後脚５の蹄部３の真後ろの位置）に取り付けられ、かつ、左前脚用後方ノズル21及び右前脚用後方ノズル22は、配管26のうち当該対応位置から外側方にずれた位置（載置部11の幅内の位置）に取り付けられている。それゆえ、後脚用のノズル23，24は、その噴射口が真っ直ぐ前方を向いた状態に設定されているが、前脚用のノズル21，22は、その噴射口が内側斜め前方を向いた状態に設定されている。
【００２８】
また、左右方向に延在する１本の配管（横配管）26及びこの配管26に取り付けられた４つのノズル21，22，23，24は、左右方向長手状のカバー体27によって覆われている。そして、カバー体27の前板部28のうち、ノズル21，22，23，24に対応する４箇所の部分には、噴射口に臨んで位置するようにノズル用開口29が開口形成されている。
【００２９】
さらに、消毒装置１は、図示しないが、牛２が載置部11に載って所定位置で停止したことを検知する検知手段と、この検知手段の検知に基づいてポンプを制御してノズルから消毒液を噴射させる制御手段とを備えている。
【００３０】
なお、消毒液の凍結防止対策が必要な場合には、消毒液が流れる流路を循環流路として、通常時には消毒液がその循環流路を低圧で循環し、噴射時には制御手段による所定のポンプ制御により消毒液の圧力が設定圧力以上となってノズル21，22，23，24が消毒液を噴射するようにしてもよい。また、カバー体27内に、循環流路の一部を構成する配管26を加熱する熱線等の加熱手段を設けてもよい。
【００３１】
次に、消毒装置１の作用等を説明する。
【００３２】
例えば牛舎内において、所定時（例えば搾乳時、採食時、或いは給水時等）には、作業者は牛２を載置部11上まで誘導して収納領域20内の所定位置で停止させる。
【００３３】
すると、牛２の後脚５よりも後方に位置した４つの後方ノズル21，22，23，24からの消毒液（例えば次亜塩素酸水）によって、その牛２の前後左右の４本の脚５の蹄部３が消毒される。
【００３４】
つまり、左前脚用後方ノズル21は、牛２の左前脚５の蹄部３の主蹄3a及び副蹄3bに向けて消毒液を噴射し、右前脚用後方ノズル22は、牛２の右前脚５の蹄部３の主蹄3a及び副蹄3bに向けて消毒液を噴射し、左後脚用後方ノズル23は、牛２の左後脚５の蹄部３の主蹄3a及び副蹄3bに向けて消毒液を噴射し、右後脚用後方ノズル24は、牛２の右後脚５の蹄部３の主蹄3a及び副蹄3bに向けて消毒液を噴射する。
【００３５】
こうして蹄部３の消毒が行われ、予め設定された設定時間が経過すると、後方ノズル21，22，23，24は消毒液の噴射を停止する。蹄部３を消毒した後の消毒液は、載置部11の開口部18から貯留部12へと落下する。また、蹄部３の消毒が完了した牛２は、前方への移動により収納領域20外へ誘導される。
【００３６】
そして、上記消毒装置１によれば、載置部11に載った牛２の後方位置から当該牛２の前後左右の４本の脚５の蹄部３に向けて消毒液を噴射する４つの後方ノズル21，22，23，24を備えるため、牛２の４本すべての脚５の蹄部３を効率よくかつ適切に消毒できる。よって、従来とは異なり、２つの槽に牛２を順次導く必要がなく、作業者の負担軽減を図ることができるとともに、蹄病の予防や治療に極めて有用である。
【００３７】
また、４つの後方ノズル21，22，23，24は、載置部11の後方近傍に位置する１本の配管（横配管）26に取り付けられているため、構成が簡単で、設置作業も容易である。
【００３８】
さらに、消毒液として次亜塩素酸水を用いるため、環境を汚染することなく、大量に使用しても何ら問題は生じない。
【００３９】
次に、本発明の第２の実施の形態について図３及び図４を参照して説明する。
【００４０】
図３及び図４に示す消毒装置１は、４つの後方ノズル21，22，23，24に加えて、２つの側方ノズル（前脚用の側方ノズル）31，32及び２つの下方ノズル（前脚用の下方ノズル）41，42を備えたものであるから、牛２の蹄部３に向けて消毒液を同時に噴射する合計８個のノズル21，22，23，24，31，32，41，42を備えている。
【００４１】
つまり、この消毒装置１は、４つの後方ノズル21，22，23，24のほか、載置部11に載った牛２の左側の側方位置からその牛２の左前脚５の蹄部３に向けて消毒液を噴射する左前脚用側方ノズル31と、載置部11に載った牛２の右側の側方位置からその牛２の右前脚５の蹄部３に向けて消毒液を噴射する右前脚用側方ノズル32と、載置部11に載った牛２の下方位置から開口部18を介してその牛２の左前脚５の蹄部３に向けて消毒液を噴射する左前脚用下方ノズル41と、載置部11に載った牛２の下方位置から開口部18を介してその牛２の右前脚５の蹄部３に向けて消毒液を噴射する右前脚用下方ノズル42とを備えている。
【００４２】
側方ノズル31，32は、載置部11の前後方向中央部の側方近傍に配置された左右１対の配管（縦配管）33，34にそれぞれ取り付けられている。そして、左側の配管33及びこの配管33に取り付けられた側方ノズル31は、ノズル用開口（図示せず）を有するカバー体36よって覆われており、同様に、右側の配管34及びこの配管34に取り付けられた側方ノズル32は、ノズル用開口（図示せず）を有するカバー体37よって覆われている。
【００４３】
下方ノズル41，42は、載置部11の前後方向中央部の下方近傍に配置された左右方向長手状の１本の配管（横配管）43に取り付けられている。つまり、この配管43は貯留部12内における上部に左右方向に沿って配置されており、この配管43のうち牛２の左右の前脚５に対応する対応位置に下方ノズル41，42が取り付けられている。そして、左右方向に延在する１本の配管43及びこの配管43に取り付けられた下方ノズル41，42は、ノズル用開口45を有するカバー体46よって覆われている。
【００４４】
なお、この第２の実施の形態に係る消毒装置１のその他の構成は、上記第１の実施の形態と基本的に同一であり、また、上記第１の実施の形態と同様、消毒液の凍結防止対策が必要な場合には、配管26，33，34，43を循環流路の一部としたり、カバー体36，37，46内に熱線等の加熱手段を設けたりしてもよい（後述する各実施の形態でも同様）。
【００４５】
そして、この第２の実施の形態に係る消毒装置１によれば、上記第１の実施の形態と同様の作用効果を奏するばかりでなく、４つの後方ノズル21，22，23，24に加えて、左前脚用側方ノズル31、右前脚用側方ノズル32、左前脚用下方ノズル41及び右前脚用下方ノズル42を備えるため、牛２の左右の前脚５の蹄部３をより一層適切に消毒することができる。
【００４６】
なお、図示した例の如く側方ノズル31，32及び下方ノズル41，42の両方を設けることが好ましいが、例えば側方ノズル及び下方ノズルのいずれか一方のみを設けた構成でもよい（後述する各実施の形態でも同様）。
【００４７】
次に、本発明の第３の実施の形態について図５及び図６を参照して説明する。
【００４８】
図５及び図６に示す消毒装置１は、４つの後方ノズル21，22，23，24、２つの前脚用の側方ノズル31，32及び２つの前脚用の下方ノズル41，42に加えて、２つの後脚用の側方ノズル51，52及び２つの後脚用の下方ノズル61，62を備えたものであるから、牛２の蹄部３に向けて消毒液を同時に噴射する合計１２個のノズル21，22，23，24，31，32，41，42，51，52，61，62を備えている。
【００４９】
つまり、この消毒装置１は、上記第２の実施の形態が備えた８個のノズルのほか、載置部11に載った牛２の左側の側方位置（後脚よりも前方の位置）からその牛２の左後脚５の蹄部３に向けて消毒液を噴射する左後脚用側方ノズル51と、載置部11に載った牛２の右側の側方位置（後脚よりも前方の位置）からその牛２の右後脚５の蹄部３に向けて消毒液を噴射する右後脚用側方ノズル52と、載置部11に載った牛２の下方位置（後脚よりも前方の位置）から開口部18を介してその牛２の左後脚５の蹄部３に向けて消毒液を噴射する左後脚用下方ノズル61と、載置部11に載った牛２の下方位置（後脚よりも前方の位置）から開口部18を介してその牛２の右後脚５の蹄部３に向けて消毒液を噴射する右後脚用下方ノズル62とを備えている。
【００５０】
側方ノズル51，52は、載置部11の前後方向中央部の側方近傍に配置された左右１対の配管（縦配管）53，54の所定高さ位置（蹄部３よりも上方の位置）にそれぞれ取り付けられている。そして、左側の配管53及びこの配管53に取り付けられた側方ノズル51は、ノズル用開口（図示せず）を有するカバー体56よって覆われており、同様に、右側の配管54及びこの配管54に取り付けられた側方ノズル52は、ノズル用開口（図示せず）を有するカバー体57よって覆われている。
【００５１】
下方ノズル61，62は、載置部11の前後方向中央部の下方近傍に配置された左右方向長手状の１本の配管（横配管）43に前脚用の前向きの下方ノズル41，42と近接して後向きの状態で取り付けられている。つまり、左右方向に延在する配管43に対して、４個の下方ノズル41，42，61，62がそれぞれ対応する脚５の方向を向くように取り付けられている。そして、配管43及びこの配管43に取り付けられた下方ノズル41，42，61，62は、ノズル用開口45を有するカバー体46よって覆われている。
【００５２】
そして、この第３の実施の形態に係る消毒装置１によれば、左後脚用側方ノズル51、右後脚用側方ノズル52、左後脚用下方ノズル61及び右後脚用下方ノズル62をさらに備えるため、牛２の蹄部３をより一層適切に消毒できる。
【００５３】
次に、本発明の第４の実施の形態について図７及び図８を参照して説明する。
【００５４】
図７及び図８に示す消毒装置１では、左前脚用側方ノズル31及び左後脚用側方ノズル51は、前後方向長手状の左側の配管（横配管）71にそれぞれ取り付けられている。この配管71は、例えば牛２が左側方へ動くのを規制する前後方向長手状の規制部材である案内パイプ72の下側に固定されている。なお、例えば配管71を案内パイプ72内に設けてもよく、この場合には案内パイプ72にノズル用開口を形成する。
【００５５】
また同様に、右前脚用側方ノズル32及び右後脚用側方ノズル52は、前後方向長手状の右側の配管（横配管）76にそれぞれ取り付けられている。この配管76は、例えば牛２が右側方へ動くのを規制する前後方向長手状の規制部材である案内パイプ77の下側に固定されている。なお、例えば配管76を案内パイプ77内に設けてもよく、この場合には案内パイプ77にノズル用開口を形成する。
【００５６】
そして、この第４の実施の形態に係る消毒装置１でも、上記第３の実施の形態と同様、牛２の蹄部３をより一層適切に消毒できる。なお、左右の配管71，76が規制部材を兼ねるようにしてもよい。
【００５７】
次に、本発明の第５の実施の形態について図９及び図１０を参照して説明する。
【００５８】
図９及び図１０に示す消毒装置１は、上記第４の実施の形態の構成において、２つの前脚用の側方ノズル101，102及び２つの前脚用の下方ノズル103，104をさらに付加したものであり、牛２の蹄部３に向けて消毒液を同時に噴射する合計１６個のノズル21，22，23，24，31，32，41，42，51，52，61，62，101，102，103，104を備えている。
【００５９】
つまり、この消毒装置１は、上記第４の実施の形態が備えた１２個のノズルのほか、載置部11に載った牛２の左側の側方位置（前脚よりも前方の位置）からその牛２の左前脚５の蹄部３に向けて消毒液を噴射する左前脚用側方ノズル101と、載置部11に載った牛２の右側の側方位置（前脚よりも前方の位置）からその牛２の右前脚５の蹄部３に向けて消毒液を噴射する右前脚用側方ノズル102と、載置部11に載った牛２の下方位置（前脚よりも前方の位置）から開口部18を介してその牛２の左前脚５の蹄部３に向けて消毒液を噴射する左前脚用下方ノズル103と、載置部11に載った牛２の下方位置（前脚よりも前方の位置）から開口部18を介してその牛２の右前脚５の蹄部３に向けて消毒液を噴射する右前脚用下方ノズル104とを備えている。
【００６０】
左前脚用側方ノズル101は、前後方向長手状の配管（横配管）71の前側に取り付けられている。右前脚用側方ノズル102は、前後方向長手状の配管（横配管）76の前側に取り付けられている。
【００６１】
左前脚用下方ノズル103及び右前脚用下方ノズル104は、左右方向長手状の配管（横配管）106に取り付けられている。この配管106は、貯留部12内における前側上部に左右方向に沿って配置されており、この配管106のうち牛２の左右の前脚５に対応する対応位置に２つの下方ノズル103，104が後方側を向いた状態で取り付けられている。そして、左右方向に延在する１本の配管106及びこの配管106に取り付けられた下方ノズル103，104は、ノズル用開口107を有するカバー体108よって覆われている。
【００６２】
また、載置部11のマット16のうち、下方ノズル103，104に対応する部分には、当該下方ノズル103，104からの消毒液が通過する孔部110が形成されている。
【００６３】
そして、この第５の実施の形態に係る消毒装置１によれば、左前脚用側方ノズル101、右前脚用側方ノズル102、左前脚用下方ノズル103及び右前脚用下方ノズル104をさらに備えるため、牛２の蹄部３をより一層適切に消毒できる。なお、例えば図示しないが、側方ノズル101，102を左右の各縦配管の所定高さ位置に取り付けるようにしてもよい。
【００６４】
なお、上記いずれの実施の形態においても、消毒対象物は、牛等の偶蹄類には限定されず、馬等の奇蹄類でもよく、蹄部を有する有蹄動物であればすべて適用可能である。
【００６５】
また、有蹄動物が載る載置部（床部）のマット16は、ゴムマットには限定されず、例えば消毒液が浸み込むことが可能なマット（例えばスポンジマット）等でもよい。
【００６６】
さらに、各ノズルは、配管の所定位置に固定された構成には限定されず、有蹄動物の大きさに対応できるように配管に対して位置調整可能に設けられた構成でもよく、また、噴射口の向きが調整可能な構成や、噴射量が調整可能な構成等としてもよい。
【００６７】
また、下方ノズルは、貯留部内に配置された横配管に取り付けて貯留部内に配設する構成には限定されず、例えば載置部の側方近傍に設けた凹部内に下方ノズルを配設するようにしてもよい。
【００６８】
さらに、前側向きの前脚用の側方ノズル31，32、後側向きの後脚用の側方ノズル51，52、後側向きの前脚用の側方ノズル101，102は、有蹄動物の左右の両側方に互いに離間対向して配置される構成には限定されず、例えば左右いずれかの一側方に互いに近接して配置される構成でもよい。すなわち、例えば図１１に示す構成では、有蹄動物の同じ側の側方位置から蹄部に向けて消毒液を噴射する複数個の側方ノズルが、一方側である右側の配管76に取り付けられている。
【００６９】
また、側方ノズルは、有蹄動物の蹄部よりも上方の所定高さ位置に配置される構成が好ましいが、例えば側方ノズルを床に配置するようにしてもよく、例えば有蹄動物が載る載置部の前後方向中央部の左右の側方近傍に左右の側方ノズルを設けるようにしてもよい。
【００７０】
なお、本発明のいくつかの実施の形態及びその変形例について説明したが、本発明の要旨を逸脱しない範囲で、前記各実施の形態及び各変形例を適宜組み合わせることも可能である。
【符号の説明】
【００７１】
１    消毒装置
２    有蹄動物である牛
３    蹄部
11    載置部
21    左前脚用後方ノズル
22    右前脚用後方ノズル
23    左後脚用後方ノズル
24    右後脚用後方ノズル
26    配管
31，101    左前脚用側方ノズル
32，102    右前脚用側方ノズル
41，103    左前脚用下方ノズル
42，104    右前脚用下方ノズル
51    左後脚用側方ノズル
52    右後脚用側方ノズル
61    左後脚用下方ノズル
62    右後脚用下方ノズル
【図１】
2020127396.tif 000003
【図２】
2020127396.tif 000004
【図３】
2020127396.tif 000005
【図４】
2020127396.tif 000006
【図５】
2020127396.tif 000007
【図６】
2020127396.tif 000008
【図７】
2020127396.tif 000009
【図８】
2020127396.tif 000010
【図９】
2020127396.tif 000011
【図１０】
2020127396.tif 000012
【図１１】
2020127396.tif 000013